(57)【要約】【課題】簡単な構成であって，首への装着が簡単でありながら，使用時に首等から勝手に外れたり，形が崩れるということも少なく，さらに，結び目部分が綺麗になるように生地を上手に結ぶという面倒な作業をしなくても，あたかも一般に市販されている正方形等の生地のみから成るスカーフを結んでいるかのように見せることができる装飾性に優れたスカーフを提供することを目的とする。【解決手段】本考案のスカーフ１は，所定の面積を有する生地から成るスカーフ本体２の長さ方向の両端部を除く部位に，該生地を幅方向に寄せ集めて縫合することによってギャザー部３を形成し，該ギャザー部３に，例えば弾性体７を内装し伸長復帰可能な，環状に縫製した帯状の止め環４を設けたことを特徴とする。【選択図】図１
0003187104.tif 000002
【実用新案登録請求の範囲】
【請求項１】
所定の面積を有する生地から成るスカーフ本体の長さ方向の両端部を除く部位に，
該生地を幅方向に寄せ集めて縫合することによってギャザー部を形成し，
止め環を前記ギャザー部に設けたことを特徴とするスカーフ。
【請求項２】
前記止め環が，弾性体を内装し伸長復帰可能な環状に縫製したものであることを特徴とする請求項１記載のスカーフ。
【請求項３】
前記止め環に使用される生地が前記スカーフ本体の生地と同一のものであることを特徴とする請求項１又は２記載のスカーフ。
【請求項４】
前記止め環が，スカーフ本体の長さ方向に直交する円周を有することを特徴とする請求項１〜３いずれか１項記載のスカーフ。
【請求項５】
前記ギャザー部の中央を，スカーフ本体の一端側から，長さ方向全長の略１／３〜１／６の位置に形成したことを特徴とする請求項１〜４いずれか１項記載のスカーフ。
【請求項６】
前記弾性体として，ゴム紐を使用したことを特徴とする請求項１〜５いずれか１項記載のスカーフ。
【請求項７】
正面視において，前記スカーフ本体のギャザー部に設けられた止め環を略方形状としたことを特徴とする請求項１〜６いずれか１項記載のスカーフ。
【請求項８】
前記止め環が，無端環状の帯状布を切断して形成される両端部を着脱自在となす止め具を備えたものであることを特徴とする請求項１〜７いずれか１項記載のスカーフ。
【考案の詳細な説明】
【技術分野】
【０００１】
本考案は，首等に巻きつけて使用するスカーフであって，詳しくは，首等への巻き付けが簡単に行え，さらに，巻き付け後の装飾性にも優れた，手軽にお洒落を楽しむことができるスカーフに関する。
【背景技術】
【０００２】
一般に市販されているスカーフは，正方形，長方形又は三角形の生地であって，首等に装着する際には，先ずスカーフを適当な幅となるように折り重ねた後，首に巻き付け，さらに，首等から外れないようにスカーフを結ぶ必要があるが，スカーフを装飾用として使用する場合には，単に結ぶのではなく，結び目を見栄えよくする必要がある。
【０００３】
しかし，首等に巻き付けたスカーフが外れないように結ぶ場合，その結び目部分が装飾性にも優れた形状となるように綺麗に結ぶことは一般に難しく，その作業は面倒であり，また当初は綺麗な結び目になっていても次第に形が崩れてしまう等の問題があった。
【０００４】
これに対し，首に装着するに際し，結ぶ必要のないスカーフとして，図６及び図７に示すように，スカーフ本体１０２の一端側にスカーフ本体を挿通することができる輪部１０３を備えたスカーフ１０１が提案されている（特許文献１）。
【０００５】
この他，装着性を高めつつ使用時の見栄えを良くするスカーフとして，図８に示すように帯状の生地をスカーフ本体２０２とし，スカーフ本体２０２の一側縁２０２ａの一端部２０２ｃ寄りにループ２０５を設け，該ループ２０５の内側を前記スカーフ本体２０２の角部２０２ｇ，２０２ｈを挿通するための通し孔２０６とし，また，前記ループ２０５は，スカーフ本体２０２の他側縁２０２ｂの一端部２０２ｃである角部２０２ｇからスカーフ本体２０２全長の１／４〜１／５の位置（図８中のＬ１）に対応する一側縁２０２ａに設けたスカーフ２０１が提案されている（特許文献２）。
【先行技術文献】
【特許文献】
【０００６】
【特許文献１】特許第４５７７７８６号公報
【特許文献２】特開２００５−１６３２４８号公報
【考案の概要】
【考案が解決しようとする課題】
【０００７】
特許文献１に記載のスカーフ１０１は，スカーフ本体１０２を装着者の首の後部に掛けて両端側を胸側に垂らし，前記輪部１０３が設けられていないスカーフ本体１０２の一端側を，輪部１０３に挿通することで簡単に首に装着することができるが，この場合，傍目からは，図７に示すようにスカーフ１０１の末端にある輪部１０３が目についてしまい，一般に市販されている正方形等の生地のみから成るスカーフを結んだものではないことが分かってしまうことで，見栄えが悪くなり，ファッション性に劣るものとなる。なお，一般に市販されている正方形等の生地のみから成るスカーフを装着しているように見せるためには，スカーフ本体１０２を輪部１０３に挿入後，輪部１０３を隠すように結ぶ工夫が必要となり，手間となる。
【０００８】
また，特許文献２に記載のスカーフ２０１については，スカーフ本体２０２の中央付近を装着者の首の後側半周に巻き付けた後に，スカーフ本体２０２の他端部２０２ｄ側の角部２０２ｈをループ２０５の通し孔２０６に挿通することで簡単に首に装着することができるが，図９に示すように，細いループ２０５に挿通するのみでは，装着後に首等から勝手に外れたり，形が崩れる等の欠点があった。また，図９に示すように，細いループ２０５に通しただけでは結び目に相当するものが現われないため，傍目からは，一般に市販されている正方形等の生地のみから成るスカーフを結んだものではないと分かってしまい，見栄えが悪い。そのため，ループ２０５に通した後に，見栄えをよくするために結び目を形成する必要があり手間となる。
【０００９】
そこで，本考案は上記従来技術における欠点を解消するために為されたものであり，簡単な構成であって，首への装着が簡単でありながら，使用時に首等から勝手に外れたり，形が崩れるということも少なく，さらに，結び目部分が綺麗になるように生地を上手に結ぶという面倒な作業をしなくても，あたかも一般に市販されている正方形等の生地のみから成るスカーフを結んでいるかのように見せることができる装飾性に優れたスカーフを提供することを目的とする。
【課題を解決するための手段】
【００１０】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本願考案の技術的範囲の解釈に制限的に用いられるものではない。
【００１１】
上記目的を達成するために，本考案のスカーフ１は，所定の面積を有する生地から成るスカーフ本体２の長さ方向の両端部を除く部位に，該生地を幅方向に寄せ集めて縫合することによってギャザー部３を形成し，該ギャザー部３に，例えば弾性体７を内装し伸長復帰可能な，環状に縫製した帯状の止め環４を設けたことを特徴とする（請求項１，２）。
【００１２】
本考案のスカーフ１は，前記止め環４の使用される生地を前記スカーフ本体２の生地と同一のものとしても良い（請求項３）。
【００１３】
また，本考案のスカーフ１は，例えば，前記ギャザー部３の中央を，スカーフ本体２の長さ方向の一端部５側から，長さ方向全長の略１／３〜１／６の位置に形成することが好ましい（請求項４，５）。
【００１４】
本考案のスカーフ１は，前記弾性体７として，ゴム紐を使用しても良い（請求項６）。
【００１５】
本考案のスカーフ１は，前記スカーフ本体２のギャザー部３に設けられた止め環４を正面視において，略方形状としても良い（請求項７）。
【００１６】
また，本考案のスカーフ１は，前記止め環４を，無端環状ではなく，円周の任意位置で切断し，形成される両端を着脱自在となす，例えば，マジックテープ(登録商標)あるいはスナップボタン等の止め具を前記両端部に備えたものとしても良い（請求項８）。
【考案の効果】
【００１７】
以上で説明した本考案のスカーフ１によれば，以下の顕著な効果を得ることができた。
【００１８】
上述の構成を備える本考案のスカーフ１は，止め環４にスカーフ本体２を挿入するだけで，首に装着可能であって，装着後も，止め環４が結び目に相当し，あたかも市販されているスカーフを結んでいるかのように見せることができ，さらに，装着後も首等から勝手に外れたり，形が崩れるということを防ぐことができた。
【００１９】
また，止め環４に使用される生地をスカーフ本体２の生地と同一にすることで，生地が異なることによる止め環４が目立つ不自然さがなくなり，より自然に結び目を形成しているように見せることができた。
【図面の簡単な説明】
【００２０】
【図１】（Ａ）は，スカーフ１を広げた状態を示す正面図。（Ｂ）は（Ａ）のＢ−Ｂ線断面図。
【図２】スカーフ１を装着した状態を示す図。
【図３】スカーフ１を装着した状態を示す図。
【図４】スカーフ１を装着した状態を示す図。
【図５】スカーフ１の装着方法を示す図
【図６】従来のスカーフの正面図。
【図７】従来のスカーフを装着した状態を示す図。
【図８】従来のスカーフの正面図。
【図９】従来のスカーフを装着した状態を示す図。
【考案を実施するための形態】
【００２１】
次に，本考案の一実施形態につき添付図面を参照しながら説明する。
【００２２】
図１（Ａ）は，本実施形態のスカーフ１を広げた状態を示す正面図であって，スカーフ１は，帯状のスカーフ本体２に，生地を幅方向に寄せ集めて縫合することによってギャザー部３を形成し，スカーフ本体２と同一の生地を使用した止め環４を前記ギャザー部３に逢着したものである。
【００２３】
スカーフ本体２に使用される生地には，シルク，麻，毛，綿等の天然繊維，ポリエステル，ナイロン，レーヨン等の合成繊維であるかを問わず使用可能であり，その織り方も特に限定されるものではない。
【００２４】
本実施形態のスカーフ１のスカーフ本体２の形態は，一枚の長方形の生地に後述するギャザー部３が形成されているため，該ギャザー部３において幅が狭くなったものであるが，使用する前記スカーフ本体２の生地の形状は長方形の他，正方形，三角形，又は台形状等を使用することができ，特に限定されない。また，２枚の生地をギャザー部３の形成とともに縫い合わせたものを使用しても良く，この場合，２枚の生地は，同一のものを使用しても良いし，異なるものを使用してもよい。
【００２５】
上述の通り，本考案のスカーフ本体２には，生地を幅方向に寄せ集めて縫合することによってギャザー部３が形成されている。なお，スカーフ本体２のギャザー部３の幅の長さは，適宜決めることができるが，装着後見栄えの良さを考慮すると，市販のスカーフを折りたたんで使用する場合の幅の長さと同程度の長さとすることが好ましい。
【００２６】
本実施形態のギャザー部３は，その中央をスカーフ本体２の長さ方向の一端部５側（図１（Ａ）において，スカーフ本体２の左端側）から，長さ方向全長の略１／５の位置に形成されているが，スカーフ本体２の長さ方向の両端部を除く部位であれば，これに限定されることはない。但し，装着後の見栄えの良さを考慮すると，ギャザー部３の中央を，スカーフ本体２の一端部５側から，長さ方向全長の略１／３〜１／６の位置に形成されていることが好ましい。
【００２７】
本実施形態のスカーフ１には，スカーフ本体２を挿通することができる伸長復帰可能な止め環４がギャザー部３に設けられている。
【００２８】
本実施形態の止め環４は，生地を中空の帯状に縫製して，図１（Ｂ）に示すように，外から見えないように該中空内に弾性体７としてゴム紐を内装し，さらに，この帯状の生地を環状にして両端を，縫い目が正面からは見えないように，スカーフ本体２のギャザー部３の裏側に縫い付けたものである。
【００２９】
なお，前記中空の帯状の生地には，ゴム紐以外の弾性体７，例えば，弾性を有するプラスチック，その他高分子素材等を内装しても良い。
【００３０】
なお，本考案のスカーフ１は，弾性体７を内装しない止め環４を使用することもできる。
【００３１】
また，止め環４の生地は，本実施形態のようにスカーフ本体２に使用した生地と同じものを使用しても良いし，異なるものを使用してもよい。  
【００３２】
次に，本実施形態のスカーフ１の装着方法を説明する。
【００３３】
一例として，スカーフ本体２の中央付近を装着者の首の後側半周に巻き付けた後に，他端部６側のスカーフ本体２と一端部５側のスカーフ本体２とが止め環４において交差するように，スカーフ本体２の一端部５を他端部６側に回した後，スカーフ本体２の他端部６を，止め環４の一端部５側の口から挿通するだけで簡単に首に装着することが可能で，装着後のスカーフ１は図２に示す装飾形態となる。
【００３４】
本実施形態のスカーフ１は，スカーフ本体２の長さ方向の両端部以外の部位にギャザー部３を形成して止め環４を設けていることから，装着後のスカーフ１は，図２に示されるように，結び目を形成しなくとも，止め環４があたかも結び目を形成しているように見せることができ，一般に市販されている正方形の生地のみから成る市販のスカーフを結んでいるかのように見せることができる。
【００３５】
また，本実施形態のスカーフ１のように，止め環４の生地をスカーフ本体２の生地と同一としていることから，生地が異なることによる止め環４が目立つ不自然さがなく，より自然に結び目を形成しているように見せることができる。
【００３６】
また，本実施形態では，図１（Ａ）に示すように，スカーフ１の正面視において，前記スカーフ本体２のギャザー部３に設けられた止め環４を略正方形状としていることから，装着後の結び目に相当する部分の見栄えが良い。
【００３７】
また，装着の際，本考案のスカーフ１の止め環４は，内装した弾性体７により伸長復帰可能なため，スカーフ本体２の挿入は容易に行うことができ，挿入後は止め環４がスカーフ本体２を挟持するため首から外れにくく，また，形も崩れにくい。
【００３８】
他の装着例として，スカーフ本体２の中央付近を装着者の首の後側半周に巻き付けた後に，上述の装着例のように，止め環４にてスカーフ本体２の一端部５と他端部６とを交差させずに平行に挿通することも可能で，挿通後，スカーフ本体２の一端部５及び他端部６を左右に拡げると，図３に示すように，図２に示す装飾形態と異なった装飾形態が得られる。この場合も，装着後のスカーフ１は，結び目を形成しなくとも，止め環４があたかも結び目を形成しているかのように見せることができるため，一般に市販されている正方形の生地のみから成る市販のスカーフを結んでいるかのように見せることができる。
【００３９】
さらに，スカーフ１の別の装着例として，スカーフ本体２の中央付近を装着者の首の後側半周に巻き付けた後に，図５に示すように，他端部６側のスカーフ本体２を長さ方向に折り返すことでスカーフ本体２に形成された略Ｕ字状の折り返し部８の先端９から途中までを，止め環４に図５中下側から挿通させると，装着後のスカーフ１は図４に示すように，片リボン状に結んだような装飾形態となる。この場合も，装着後のスカーフ１は，結び目を形成しなくとも，止め環４があたかも結び目を形成しているかのように見せることができるため，一般に市販されている正方形の生地のみから成る市販のスカーフを結んでいるかのように見せることができる。
【００４０】
なお，本考案のスカーフ１は，上述した３通りの装着後に，スカーフ本体２の一端部５と他端部６とを結ぶことで，上述した装飾形態とは異なった装飾形態とすることも可能である。
【００４１】
また，本考案のスカーフ１は，前記止め環４について，無端環状ではなく，円周の任意位置で切断した両端部を着脱自在となす，例えば，マジックテープあるいはスナップボタン等の止め具を備えたものとしてもよく，この場合，前記止め環４をスカーフ本体２に対して着脱自在とすることができる。
【符号の説明】
【００４２】
１  スカーフ
２  スカーフ本体
３  ギャザー部
４  止め環
５  一端部
６  他端部
７  弾性体
８  折り返し部
９  先端
１０１  スカーフ
１０２  スカーフ本体
１０３  輪部
２０１  スカーフ
２０２  スカーフ本体
２０２ａ  一側縁
２０２ｂ  他側縁
２０２ｃ  一端部
２０２ｄ  他端部
２０２ｇ  角部
２０２ｈ  角部
２０５  ループ
２０６  通し孔
【図１】
0003187104.tif 000003
【図２】
0003187104.tif 000004
【図３】
0003187104.tif 000005
【図４】
0003187104.tif 000006
【図５】
0003187104.tif 000007
【図６】
0003187104.tif 000008
【図７】
0003187104.tif 000009
【図８】
0003187104.tif 000010
【図９】
0003187104.tif 000011